(57)【要約】【構成】センサー本体にサーミスタを設置し、このサーミスタのリード線に接続端子を介して電線を接続する温度センサー用電線接続構造において前記接続端子は水平片部と垂直片部とをＬ字状に連設したものであり、この接続端子の前記垂直片部に前記電線をかしめ結合をするとともに、前記水平片部に前記サーミスタのリード線を半田付けした温度センサー用電線取付構造である。【効果】予め、接続端子の垂直片部へ電線をかしめておき、おの状態で接続端子の水平片部にセンサー本体のサーミスタのリード線を半田付けすることができる。従来のようにセンサー本体内でかしめ作業を行う必要がないため、そのためのスペースが不要となり、この結果温度センサーを小型化することができる。【選択図】    図１
0003177078.tif 000002
【実用新案登録請求の範囲】
【請求項１】
センサー本体にサーミスタを設置し、このサーミスタのリード線に接続端子を介して電線を接続する温度センサー用電線接続構造において前記接続端子は水平片部と垂直片部とをＬ字状に連設したものであり、この接続端子の前記垂直片部に前記電線をかしめ結合をするとともに、前記水平片部に前記サーミスタのリード線を半田付けしたことを特徴とする温度センサー用電線接続構造。
【請求項２】
前記電線のかしめは、芯線部のかしめと被服部のかしめとを独立して行うことを特徴とする請求項１の温度センサー用電線接続構造。
【請求項３】
前記水平片部に透孔を形成し、この透孔に前記サーミスタのリード線を貫通させた状態で前記半田付けをすることを特徴とする請求項１または請求項２の温度センサー用電線取付構造。
【考案の詳細な説明】
【技術分野】
【０００１】
この考案は温度センサー用電線取付構造に関し、車両用温度センサーに使用されるものである。
【０００２】
従来におけるこの種の電線取付構造においては、センサー本体にサーミスタを設置しこのセンサー本体内においてサーミスタのリード線と電線とをジョイント端子によって接続していた。
【０００３】
【特許文献１】特開２０１１−１３０５４４号公報
【考案の開示】
【考案が解決しようとする課題】
【０００４】
しかしながら、かかる従来の電線取付構造にあっては、ジョイント端子をかしめるにあたって前記センサー本体内にスペース(アプリケーターと)が必要となり、この結果温度センサーを小型化しにくいという不都合を有した。
【０００５】
この不都合を解消することがこの考案の課題である。
【課題を解決するための手段】
【０００６】
前記課題を達成するために、この考案に係る温度センサー用電線取付構造においては、センサー本体にサーミスタを設置し、このサーミスタのリード線に接続端子を介して電線を接続する温度センサー用電線接続構造において前記接続端子は水平片部と垂直片部とをＬ字状に連設したものであり、この接続端子の前記垂直片部に前記電線をかしめ結合をするとともに、前記水平片部に前記サーミスタのリード線を半田付けしたものである。
【０００７】
この場合、前記電線のかしめは、芯線部のかしめと被服部のかしめとを独立して行うこともできる。
【０００８】
また、前記水平片部に透孔を形成し、この透孔に前記サーミスタのリード線を貫通させた状態で前記半田付けをすることもできる。
【考案の効果】
【０００９】
この考案に係る温度センサー用電線取付構造は上記のように構成されているため、即ち、センサー本体にサーミスタを設置し、このサーミスタのリード線に接続端子を介して電線を接続する温度センサー用電線接続構造において前記接続端子は水平片部と垂直片部とをＬ字状に連設したものであり、この接続端子の前記垂直片部に前記電線をかしめ結合をするとともに、前記水平片部に前記サーミスタのリード線を半田付けしたため、あらかじめ、接続端子の垂直片部へ電線をかしめておき、おの状態で接続端子の水平片部にセンサー本体のサーミスタのリード線を半田付けすることができる。
【００１０】
よって、この考案に係る温度センサー用電線取付構造を使用すれば、従来のようにセンサー本体内でかしめ作業を行う必要がないため、そのためのスペースが不要となり、この結果温度センサーを小型化することができる。
【００１１】
この場合、前記電線のかしめを、芯線部のかしめと被服部のかしめとに分けて行えば、接続端子に対する電線からの引張り荷重を分散することができるため、電線のかしめ接続を安定化させることができる。
【００１２】
また、前記水平片部に透孔を形成し、この透孔に前記サーミスタのリード線を貫通させた状態で前記半田付けをすれば、リード線を接続端子に半田付けする際にその位置決めがしやすいものである。
【００１３】
この考案に係る温度センサー用電線取付構造を実施するにあたって次の特徴を有する。
【００１４】
「接続端子」は水平片部と垂直片部とをＬ字状に連設したものである。
【００１５】
「かしめ片」は前記接続端子の垂直片部に二組独立して設けれている。
【００１６】
「水平片部」には透孔が設けられこの透孔にはサーミスタのリード線が貫通する。
【実施例】
【００１７】
以下、この考案の実施例を図面に基づいて説明する。
【００１８】
図１はこの考案に係る温度センサー用電線取付構造の斜視図、図２は図１におけるII―II線断面図、図３は図１におけるIII矢示の斜視図、図４は接続端子へ電線をかしめた状態の斜視図である。
【００１９】
図１〜図２において、Ａは温度センサー、１０はそのセンサー本体である。このセンサー本体１０は合成樹脂によって一体成形されている。またこのセンサー本体には先端部にサーミスタ設置部１１、後端部に連結穴１２が設けられている。
【００２０】
２０はサーミスタであり、前記センサー本体１０のサーミスタ設置部１１に内嵌められている。２１、２１は前記サーミスタのリード線であり、前記センサー本体を貫通して前記連結穴１２に突出している。
【００２１】
次に図４において３０はＬ字状接続端子であり、水平片部３１と垂直片部３２とを有している。このＬ字接続端子３０は板材をほぼＬ字状に折り曲げることによって形成される。
【００２２】
３３は透孔であり、前記接続端子３０の水平片部３１に形成されている。この透孔３３の機能は後記する。
【００２３】
次に、３４、３４は被服部かしめ片であり、前記接続端子３０における垂直片部３２の先端部の両側縁に各々立設されている。この被服部かしめ片３４、３４は内側に折り曲げることによって、その間に配置された電線５０の被服部５１をかしめる。
【００２４】
また３５、３５は芯線部かしめ片であり、前記垂直片部３２における前記被服部かしめ片３４、３４よりも内側に立設されている。この芯線部かしめ片を内側に折り曲げることによって、前記電線５０の芯線部５２をかしめ、電気的に接続する。
【００２５】
このように前記電線５０をかしめた後、図２及び図３に示すように前記接続端子３０を垂直状態に配置する。そして、前記水平片部３１の透孔３３に前記センサー本体１０におけるサーミスタ２０のリード線２１、２１を貫通させ、半田付け６０、６０によって固定する。この工程によって前記サーミスタ２０のリード線２１、２１と前記電線５０は接続される。
【産業上の利用可能性】
【００２６】
この考案に係る温度センサー用電線取付構造は、あらかじめ、接続端子の垂直片部へ電線をかしめておき、おの状態で接続端子の水平片部にセンサー本体のサーミスタのリード線を半田付けすることができる。従来のようにセンサー本体内でかしめ作業を行う必要がないため、そのためのスペースが不要となり、この結果温度センサーを小型化することができる。よって、産業上の利用可能性は高いものである。
【図面の簡単な説明】
【００２７】
【図１】図１はこの考案に係る温度センサー用電線取付構造の斜視図。
【図２】図２は図１におけるII―II線断面図。
【図３】図３は図１におけるIII矢示の斜視図。
【図４】図４は接続端子へ電線をかしめた状態の斜視図。
【符号の説明】
【００２８】
Ａ  …  温度センサー
１０  …  センサー本体
１１  …  サーミスタ設置部
１２  …  連結穴
２０  …  サーミスタ
２１  …  リード線
３０  …  Ｌ字状接続端子
３１  …  水平片部
３２  …  垂直片部
３３  …  透孔
３４  …  被服部かしめ片
３５  …  芯線部かしめ片
５０  …  電線
５１  …  被服部
５２  …  芯線部
６０  …  半田付け
【図１】
0003177078.tif 000003
【図２】
0003177078.tif 000004
【図３】
0003177078.tif 000005
【図４】
0003177078.tif 000006